(57)【要約】  医療施設において使用され、床スペースを部屋に仕切り病院設備モジュール（２４）を支えるモジュール壁システム（２０）を提供する。床の上に垂直上方に立つよう構成された複数の枠ユニット（１００）を備え、該複数の枠ユニット（１００）は垂直方向と横方向に互いに隔てられ所定の高さ（１３２）と所定の幅（１３０）を有する複数の壁空間から成るグリッドを形成する。複数のモジュール（２４）が、該壁空間に配置され壁（２６）を形成するよう構成されている。
2008501876.tif 000002
【特許請求の範囲】
【請求項１】
医療施設において使用されるモジュール壁システムであって、
横に並んで配列された複数の枠ユニットと、
該枠ユニットに結合され該医療施設の壁を形成する複数の病院設備モジュールと
を備えるモジュール壁システム。
【請求項２】
前記複数の病院設備モジュールは、患者医療モジュール、家族ゾーンモジュール、衛生ゾーンモジュール、足壁モジュール、臨床壁モジュール、ドアモジュール、窓モジュール、展開式ベッドモジュール、生命徴候モジュール、及び装置収納モジュールのうち１つ以上を含む請求項１に記載のシステム。
【請求項３】
前記複数の枠ユニットは、垂直方向と横方向に互いに隔てられ所定の高さと所定の幅を有する複数の壁空間から成るグリッドを形成し、前記複数のモジュールは、該壁空間に配置され壁を形成するよう構成されている請求項１に記載のシステム。
【請求項４】
前記複数のモジュールの少なくとも幾つかは、前記壁空間の前記所定の幅の１倍を含む倍数にほぼ等しい幅と、前記壁空間の前記所定の高さの１倍を含む倍数にほぼ等しい高さとを有する請求項３に記載のシステム。
【請求項５】
前記各枠ユニットは、所定の高さと所定の幅だけ互いに隔てられグリッドを形成する複数の接続点を有し、前記複数のモジュールは該接続点において該枠ユニットに結合され壁を形成する請求項１に記載のシステム。
【請求項６】
前記複数のモジュールの少なくとも幾つかは、前記接続点の所定の幅の１倍を含む倍数にほぼ等しい幅と、前記接続点の所定の高さの１倍を含む倍数にほぼ等しい高さとを有する請求項５に記載のシステム。
【請求項７】
前記接続点において前記枠ユニットに取外し可能に結合されるよう構成された複数の支持部材を備え、
前記複数のモジュールは該支持部材に結合され壁を形成するよう構成されている請求項５に記載のシステム。
【請求項８】
前記各モジュールは、その両側に配置されたガイドトラックの対を１つ以上備え、該ガイドトラックの対は対向して配置された支持部材の関連する対を受容するように寸法設定されている請求項７に記載のシステム。
【請求項９】
前記支持部材の少なくとも幾つかは、関連する前記モジュールの奥行きにほぼ等しい長さを有している請求項７に記載のシステム。
【請求項１０】
前記各枠ユニットは、一対の垂直部材と、該垂直部材間を延びる一対の水平部材とを備え、該各枠ユニットの該垂直部材は、所定の高さと所定の幅だけ互いに隔てられグリッドを形成する複数の接続点を有し、複数のモジュールは該接続点に結合され壁を形成するよう構成されている請求項１に記載のシステム。
【請求項１１】
前記複数の接続点は、前記壁の前側に面した第１の数の接続点と、該壁の後側に面した第２の数の接続点とを含み、第１の数のモジュールが該第１の数の接続点に結合され、第２の数のモジュールが該第２の数の接続点に結合されている請求項１０に記載のシステム。
【請求項１２】
前記複数の接続点に取外し可能に結合されるよう構成された複数の支持部材を備え、
前記複数のモジュールは該複数の支持部材に結合され壁を形成するよう構成されている請求項１０に記載のシステム。
【請求項１３】
前記枠ユニットの垂直部材と水平部材とのうち少なくとも幾つかは、ユーティリティ管がそれを通って配管されるアクセス孔を有し、該ユーティリティ管は該枠ユニットに結合された前記モジュールの少なくとも幾つかにユーティリティを供給する請求項１０に記載のシステム。
【請求項１４】
前記ユーティリティ管群は、医療ガス管、酸素管、上水管、下水管、及び電気線のうち１つ以上を含む請求項１３に記載のシステム。
【請求項１５】
前記各枠ユニットの垂直部材と水平部材は内部空間を画成し、該内部空間は、音または熱絶縁材が充填されている請求項１０に記載のシステム。
【請求項１６】
前記病院設備モジュールの少なくとも１つは、作業面モジュール、灯りモジュール、供給物スルーモジュール、引出しスルーモジュール、廃棄物スルーモジュール、ドアモジュール、及び窓モジュールのうち１つから構成される臨床壁モジュールである請求項１に記載のシステム。
【請求項１７】
前記病院設備モジュールの少なくとも１つは、手洗モジュール、手洗・収納モジュール、シャワーモジュール、紙タオル提供モジュール、手乾燥機モジュール、鏡モジュール、タオル掛けモジュール、ごみ容器モジュール、及びつかまり棒モジュールのうち１つから構成される衛生ゾーンモジュールである請求項１に記載のシステム。
【請求項１８】
医療施設において壁を構築するためのシステムであって、
一対の垂直部材と、該垂直部材間を延びる一対の水平部材とをそれぞれ備える複数の枠ユニットであって、該垂直部材は、所定の垂直距離と所定の水平距離だけ互いに隔てられグリッドを形成する複数の接続点を有する複数の枠ユニットと、
該接続点において該枠ユニットに結合され壁を形成する複数のモジュールと
を備えるシステム。
【請求項１９】
前記接続点において前記垂直部材に取外し可能に結合されるよう構成された複数の支持部材を備え、
前記複数のモジュールは該支持部材に結合され壁を形成する請求項１８に記載のシステム。
【請求項２０】
垂直方向と横方向に互いに隔てられ所定の高さと所定の幅を有する複数の壁空間から成るグリッドを形成するよう構成された複数の枠ユニットを備えたモジュール壁システムと一緒に使用される臨床壁であって、
該壁空間に配置されるよう構成された複数のモジュールを備え、該モジュールの少なくとも１つはスルーモジュールである臨床壁。
【請求項２１】
前記臨床壁は第２空間から第１空間を分け、前記スルーモジュールは該第１空間と第２空間の両方からアクセス可能である請求項２０に記載のシステム。
【請求項２２】
前記第１空間は病室であり、前記第２空間は隣接する廊下または部屋である請求項２１に記載のシステム。
【請求項２３】
前記スルーモジュールは、供給物スルーモジュール、引出しスルーモジュール、及び廃棄物スルーモジュールのうちの１つから構成される請求項２０に記載のシステム。
【発明の詳細な説明】
【技術分野】
【０００１】
本発明は、適応性のある臨床環境、特に臨床環境における壁を構築するためのモジュールシステムに関する。
【背景技術】
【０００２】
医療施設内の壁を構築する従来の方法は、医療施設の床及び／又は天井にほぼ永久的に取付けられる木材、鋼材、及び壁板を使用する。従来の構築方法は、建築作業を完了させるために大工、塗装工、配管工、電気工等の様々な職人をスケジュールする困難さに起因する長く低信頼性の建築時間を伴う。このような従来の方法を使用して建築された部屋及び空間は、容易には再構成することができない。このような再構成は、存在する壁の取り壊しを必要とし、コストと時間が掛かり、業務を妨げるだけでなく、多量のごみ、ほこり、及び騒音を生成する。取除かれた材料は一般に再利用できず処分するしかない。
【０００３】
開いた空間を複数の小部屋に分けるモジュール壁システムは周知である。このようなシステムの例が、特許文献１と特許文献２に開示されている。両方とも名称は「モジュール式病室」である。
【特許文献１】米国特許出願公開第２００２−０１０４２７１号明細書
【特許文献２】米国特許第６，４０５，４９１号明細書
【０００４】
《関連する出願への相互参照》
本出願は、２００４年０６月０３日付で出願した米国仮特許出願第６０／５７６，８６８号及び第６０／５７６，８７０号と、２００４年１２月３０日付で出願した米国仮特許出願第６０／６４０，５９２号との利益を主張する同一の譲渡人に譲渡する通常の特許出願である。これら全ての出願を本明細書に援用する。
【発明の開示】
【課題を解決するための手段】
【０００５】
本発明は、単独でまたは組合せで特許性のある事項を構成する下記の複数の特徴のうち１つ以上又はそれらの組合せを有するシステムを含む。
【０００６】
壁を構築するためのモジュールシステムを提供する。このようなモジュールシステムは、例えば医療施設において壁を構築するために使用することができる。該モジュール壁システムは、従来の技法に伴うほこり、騒音、及び業務の妨げを最小にしながら、迅速に、医療施設のシェルスペースを病室又は事務局に変更することを可能にする。このため、医療施設のシェルスペースを患者の必要に合うように変更することができる。モジュール壁システムは、患者、介護者、及び医療施設の必要の変化に応じた部屋とスペースの構成の変更を助ける柔軟性がある。ユーザは、機能上の要求の変化によるスペースの用途の変更に伴って、様々なモジュール部品を容易に交換及び再構成することができる。基礎構造部品とモジュール部品は多数回、再利用が可能である。
【０００７】
該モジュール壁システムは、病室で使用するために様々なモジュール部品、例えば患者医療またはヘッドウォールモジュール、家族ゾーンモジュール、衛生ゾーンモジュール、足壁モジュール、臨床壁モジュール、ドアモジュール、及び窓モジュールを容易に組み込むことができる。様々なモジュール部品の外面は、該モジュール部品の外観を更新するために該モジュール部品を交換することなく、変更することができる。飾りパネルを病室に色を加えるために使用してもよい。
【０００８】
壁を構築するためのモジュールシステムは、複数の接続点を有する複数の枠ユニットと、該接続点において該枠ユニットに結合され壁を形成する複数のモジュールとを備える。各枠ユニットは、垂直方向と横方向に互いに隔てられ所定の垂直間隔と所定の横間隔を有する複数の壁空間から成るグリッドを形成する。枠ユニットに結合される複数のモジュールの少なくとも幾つかは、前記所定の横間隔の１倍を含む倍数にほぼ等しい幅と、前記所定の垂直間隔の１倍を含む倍数にほぼ等しい高さとを有する。
【０００９】
枠ユニットは、医療施設の床に該枠ユニットを固定するため、及び医療施設の隣接する既存の通常の壁に該枠ユニットを固定するため、及び両側の隣接する枠ユニットに該枠ユニットを固定するための追加の接続点を有してもよい。幾つかの実施形態では、枠ユニットは医療施設の天井に該枠ユニットを固定するための接続点を有してもよい。
【００１０】
患者医療モジュールの幾つかの例は、ベッドを位置決めするためのベッドロケータモジュールと、患者、患者用ベッド、及び他の患者医療設備に例えば医療ガス、真空、空気、ＡＣ／ＤＣ電力、水、配管等を供給するためのヘッドウォールモジュールと、Ｘ線写真を見るためのビューボックスモジュールと、患者生命値（例えば心拍数、血圧、血糖値）を表示するためのモニターモジュールと、該医療施設の中央サーバからデータを読み出し及びデータを入力するためのコンピュータ／キーボードモジュールと、リネン、薬、創傷包帯、殺菌された注射器等を患者又は介護者に供給する供給物管理モジュールと、ごみ、バイオハザード物、鋭利な物、汚れリネン等を病室から集めその後、収集するための廃棄物管理モジュールと、供給物、薬等を病室に搬送する空気圧式管投下モジュールとである。
【００１１】
家族ゾーンモジュールの幾つかの例は、収納式ベッドモジュール、冷蔵庫モジュール、娯楽モジュール（例えばＴＶ、ビデオテープレコーダ、ＤＶＤプレーヤ）、電子レンジモジュール、家庭用品モジュール、作業面モジュール、キャビネットモジュール、棚モジュール、引出しモジュール、展開式座モジュール、及び読書灯モジュールである。衛生ゾーンモジュールの幾つかの例は、手洗モジュール、手洗・収納モジュール、シャワーモジュール、紙タオル提供モジュール、手乾燥機モジュール、鏡モジュール、タオル掛けモジュール、ごみ容器モジュール、つかまり棒モジュール等である。足壁モジュールの幾つかの例は、引出しモジュール、キャビネットモジュール、棚モジュール、ホワイトボードモジュール、画鋲面モジュール、及びホームシアターモジュールである。
【００１２】
臨床壁モジュールの幾つかの例は、作業面モジュール、灯りモジュール、供給物スルーモジュール、引出しスルーモジュール、廃棄物スルーモジュール、ドアモジュール、及び窓モジュールである。臨床壁モジュールは、病室と隣接する廊下の間の壁を形成する。ドアモジュールは顧客の要求に依存する様々な寸法のドアを備える。ドアは、金属、木またはプラスチック等の様々な材料から作られてよい。ドアは様々な寸法の窓を備えてもよい。窓モジュールは顧客の要求に依存する様々な寸法の窓を備える。幾つかの実施形態では、窓は色が付けられている。他の実施形態では、窓はＬＣＤパネルにより構成される。窓は一体となったプライバシ保護用ブラインドを備えてもよい。窓枠は、金属、木またはプラスチック等の様々な材料から作られてよい。飾りパネル及び飾り板をモジュール空間、角、接続部等を閉じる又は覆うために使用してもよい。
【００１３】
これらのモジュールは、病室、ナースステーション、緊急医療部門、事務局、受付等の医療施設の部屋とスペースを形成するために無数の方法で組み立てることができる。モジュール壁システムによって形成される壁の奥行きと高さは、医療施設の必要に依り変わりうる。
【００１４】
例として、複数のハンガーが前記接続点において枠ユニットに取外し可能に結合されてもよい。ロックが該ハンガーを枠ユニットに解放可能に固定してもよい。該ハンガーは枠ユニットからカンチレバー状に概ね水平に延びる。前記各モジュールは、その両側に配置され、関連する一対のハンガーを受容するように寸法設定された一対のガイドトラックを備えてもよい。ラッチは該モジュールを関連する一対のハンガーに解放可能に固定してもよい。ハンガーとガイドトラックは概ね矩形の断面を有してもよい。
【００１５】
枠ユニットの接続点はハンガー受容穴であってよい。ハンガーは対応するハンガー受容穴に嵌合する。ハンガーの代わりにモジュールを支持するために対応するフック受容穴に嵌合するフックを使用してもよい。モジュール群を背中合わせ配置で支持するために、該枠ユニットはハンガー受容穴を前と後の両側に有してもよい。
【００１６】
各枠ユニットは一対の垂直部材と、該枠ユニットの上部と底部の近くで該垂直部材間を延びる一対の水平部材とを備え、中央に開いた空間又は空洞を持つほぼ矩形の構造体を形成する。各枠ユニットの垂直部材は、所定の垂直間隔と所定の水平間隔だけ互いに隔てられグリッドを形成する複数のハンガー受容穴を有してもよい。枠ユニットの垂直部材は、前と後の両側に複数のハンガー受容穴を有してもよい。ハンガーは対応するハンガー受容穴に嵌合し、モジュール群を背中合わせ配置で支持してもよい。
【００１７】
前記複数のモジュールの少なくとも幾つかは、所定の奥行き倍数にほぼ等しい奥行きを有し、関連するハンガーは対応する奥行きを有してよい。前記枠ユニットの垂直部材と水平部材とのうち少なくとも幾つかは、ユーティリティ管がそれを通って配管されるアクセス孔を有し、該ユーティリティ管は該枠ユニットに結合された前記モジュールの少なくとも幾つかにユーティリティ（例えば医療ガス、酸素、空気、ＡＣ／ＤＣ電力、温水、冷水、配管等）を供給してもよい。前記枠ユニットの垂直部材と水平部材によって形成された前記空間又は空洞は、音または熱絶縁材が充填されてもよい。
【００１８】
医療施設において使用するためのモジュール壁システムは、床スペースを部屋に分割するよう構成されて、床の上に垂直上方に立つよう構成された複数の枠ユニットを備える。該複数の枠ユニットは垂直方向と横方向に互いに隔てられ所定の高さと所定の幅を有する複数の壁空間から成るグリッドを形成する。複数のモジュールが、該壁空間に配置され壁を形成するよう構成されている。前記複数のモジュールの少なくとも幾つかは、前記所定の幅の１倍を含む倍数にほぼ等しい幅と、前記所定の高さの１倍を含む倍数にほぼ等しい高さとを有する。
【００１９】
上記以外の特徴が、単独でまたは上記又は請求項に記載された特徴と組合せで特許性のある事項を構成する可能性があり、発明を実施するための現時点での最良の形態である以下の実施形態の詳細な説明から、当業者に明らかとなるであろう。
【発明を実施するための最良の形態】
【００２０】
図１と図２に示すように、壁を構築するためのモジュール壁システム２０は、複数の基礎構造部品または枠部品２２と、基礎構造部品２２に結合されモジュール式壁２６を形成する複数の病院設備モジュール２４とを備える。例えば、基礎構造部品２２は、床１５２上に支えられた枠ユニット１００と、枠ユニット１００に結合されモジュール２４を支持する複数のハンガー１０２とを含む。このようなシステム２０は、例えば個室の病室２８等の医療施設内の壁を構築するために使用される。例としての病室２８は、ベッド３０と、２つの椅子３２と、サイド机３４と、患者医療またはヘッドウォールモジュール３８を備えるヘッドウォール３６と、足壁モジュール４２を備える足壁４０と、臨床壁モジュール４６を備える臨床壁４４と、家族ゾーンモジュール５０を備える家族ゾーン壁４８と、衛生ゾーンモジュール５４を備える衛生ゾーン壁５２と、ドアモジュール５６と、窓モジュール５８とを備える。
【００２１】
患者医療またはヘッドウォールモジュール３８の幾つかの例は、ベッド３０をヘッドウォール３６に対して位置決めするためのベッドロケータモジュールと、医療ガス、真空、空気、ＡＣ／ＤＣ電力等を供給するためのユーティリティサービスモジュールと、Ｘ線写真を見るためのビューボックスモジュールと、患者パラメータ（例えば心拍数、血圧、血糖値）を表示するためのモニターモジュールと、該医療施設の中央コンピュータからデータを読み出し及びデータを入力するためのコンピュータ／キーボードモジュールと、ごみ、バイオハザード物、鋭利な物、リネン等を病室から集めその後、収集するための廃棄物管理モジュールと、供給物、薬等を病室に搬送し、血液サンプル及び尿サンプルを例えば病院の検査室に搬送する空気圧管モジュールとである。このような患者医療モジュールは、本願と一緒に出願された国際特許出願Ｎｏ．PCT／US２００５／xxxxxx（attorney docket no. 7175-78002）に開示されている。この出願は本出願と同一の譲渡人に譲渡する特許出願であり、この出願を本明細書に援用する。
【００２２】
足壁モジュール４２の幾つかの例は、引出しモジュール、キャビネットモジュール、棚モジュール、ホワイトボードモジュール、画鋲面モジュール、及び娯楽モジュールである。このような足壁モジュール４２は国際特許出願Ｎｏ．PCT／US２００５／xxxxxx（attorney docket no. 7175-78001）に開示されている。臨床壁モジュール４６の幾つかの例は、図１０に示す作業面モジュール２００、図１１、図１２に示す灯りモジュール２２０、図１３、図１４に示す供給物スルーモジュール２４０、図１５〜図１８に示す引出しスルーモジュール２７０、図１９〜図２２に示す廃棄物スルーモジュール２９０、図２３、図２４に示すドアモジュール３２０、３４０、及び図２５に示す窓モジュール３６０である。臨床壁モジュール４６の他の例は、空気圧管モジュール、フラットパネルモジュール、時計モジュール、コンピュータ／キーボードモジュール、冷蔵庫モジュール、キャビネットモジュール、棚モジュール、画鋲面モジュール、及びホワイトボードモジュールである。このような臨床壁モジュール４６は国際特許出願Ｎｏ．PCT／US２００５／xxxxxx（attorney docket no. 7175-78001）及びＮｏ．PCT／US２００５／xxxxxx（attorney docket no. 7175-78002）に開示されている。
【００２３】
家族ゾーンモジュール５０の幾つかの例は、収納式ベッドモジュール、冷蔵庫モジュール、娯楽モジュール（例えばＴＶ、ビデオテープレコーダ、ＤＶＤプレーヤ）、電子レンジモジュール、家庭用品モジュール、作業面モジュール、キャビネットモジュール、棚モジュール、引出しモジュール、展開式座モジュール、読書灯モジュール、及び飾りパネルモジュールである。このような家族ゾーンモジュールは本願と一緒に出願された国際特許出願Ｎｏ．PCT／US２００５／xxxxxx（attorney docket no. 7175-78001）に開示されている。この出願は本出願と同一の譲渡人に譲渡する特許出願であり、この出願を本明細書に援用する。衛生ゾーンモジュール５４の幾つかの例は、図２６に示す手洗モジュール４００、図２７に示す手洗・収納モジュール４０２、図２８に示すシャワーモジュール４０４、図２９に示す紙タオル提供モジュール４０６、図３０に示す手乾燥機モジュール４０８、図３１に示す鏡モジュール４１０、図３２に示すタオル掛けモジュール４１２、図３３に示すごみ容器モジュール４１４、図３４に示すつかまり棒モジュール４１６、及び図１に示すトイレモジュール４１８である。これらのモジュールリストの全ては、例にすぎず、全てを網羅していることを意図していない。
【００２４】
病室２８の家族エリア５１は、患者の家族、訪問者、又は第２の患者を収容する二用途展開式ベッド（不図示）を備えてもよい。このような二用途展開式ベッドは国際特許出願Ｎｏ．PCT／US２００５／xxxxxx（attorney docket no. 7175-77999）に開示されている。この出願は本出願と同一の譲渡人に譲渡する特許出願であり、この出願を本明細書に援用する。
【００２５】
本明細書と請求項において、用語「医療施設」は、広義の意味で使用され、病院、介護施設、外来患者診療所、医者執務室、診療施設等を含む。用語「病院設備モジュール」は、広義の意味で使用されており、患者医療モジュール３８、足壁モジュール４２、臨床壁モジュール４６、家族ゾーンモジュール５０、衛生ゾーンモジュール５４、ドアモジュール５６、窓モジュール５８、展開式ベッドモジュール、生命徴候モジュール、装置収納モジュール等を含んでいる。用語「モジュール」と「モジュール部品」は、相互に交換可能に使用され、それぞれ両方の意味をカバーするよう意図されている。また、用語ＡＣ／ＤＣは、交流（ＡＣ）、又は直流（ＤＣ）又は両方を意味するよう意図されている。
【００２６】
基礎構造部品２２は枠ユニット１００と、枠ユニット１００に取外し可能に結合されるよう構成され、壁２６を形成する複数の支持部材１０２とを含む。図２に示す本実施形態では、支持部材１０２はハンガー１０２である。各枠ユニット１００は一対の垂直部材１１０と、枠ユニット１００の上部と底部の近くにおいて垂直部材１１０間を延びる一対の水平部材１１２とを備え、垂直部材１１０と水平部材１１２は、枠ユニット１００の前面１１６と後面１１８の間に亘る開いた空間または空洞１１４を中央に有する概ね矩形の構造体を形成する。図示のように、垂直部材１１０と水平部材１１２とは概ね矩形の断面を有する管状部材から作られている。垂直部材１１０と水平部材１１２は他の断面を有してもよい。該管状部材は鋼または他の適切な材料、例えばプラスチック、アルミニウム、又は木から作られてもよい。本実施形態では、部材１１０、１１２はアルミニウム成形品である。
【００２７】
図２に示すように、各枠ユニット１００の垂直部材１１０は、枠ユニット１００の前側１１６に面し奥行き方向に延びる第１の数の接続点１２０と、枠ユニット２０４の後側１１８に面し奥行き方向に延びる第２の数の接続点１２０とを有する。本実施形態では、接続点１２０はハンガー受容穴１２０である。ハンガー受容穴１２０はハンガー１０２を受容する寸法及び形を有す。挿入された時、ハンガー１０２は枠ユニット１００のハンガー受容穴１２０に嵌合し、固く適正にロックされる。図９に示すように、ハンガー受容穴１２０の内方に面する縁１２１とハンガー１０２の外方に面する壁１０３は、摩擦嵌合するよう寸法が設定されている。図示のように、ハンガー１０２とハンガー受容穴１２０とは横断面が概ね矩形である。ハンガー１０２は、枠ユニット１００からカンチレバー状に概ね水平に延びる。下記に説明するように、ハンガー１０２の長さは、ハンガー１０２によって支持されるモジュール２４の奥行きに概ね一致する。
【００２８】
幾つかの実施形態では、図９に示すように、ハンガー１０２は、基部側端の近くに垂直のスロット１２２を有する。ハンガー１０２は関連する受容穴１２０に挿入され押下げられると、スロット１２２の内方に面する縁１２３が垂直部材１１０の外方に面する壁１２４と係合しハンガー１０２を適正な位置に堅くロックする。幾つかの実施形態では、ハンガー１０２は、枠ユニット１００の対応するフック受容穴に嵌合されたフックを備え、該フックは取外し可能に枠ユニット１００に取付けられる。
【００２９】
下記の説明では、用語Ｘ軸、Ｙ軸、Ｚ軸は、枠部材１１０、１１２とハンガー１０２との関係を記述するために任意に決められている。図示のように、枠ユニット１００の水平部材１１２は枠ユニット１００の幅（Ｘ軸に対応する）に平行に延びる。ハンガー１０２は枠ユニット１００の奥行き（Ｙ軸に対応する）に平行に延びる。垂直部材１１０は枠ユニット１００の高さ（Ｚ軸に対応する）に平行に延びる。
【００３０】
本明細書と請求項において、用語「接続点」は、第１部材（例えば枠ユニット１００の垂直部材１１０）又はその一部に取付けられた結合器（例えばハンガー受容穴１２０）を意味するために総称的に使用される。該第１部材は、第２部材（例えばモジュール２４を支えるハンガー１０２）又はその一部に取付けられた相手結合器（例えば穴１２０に嵌合するハンガー１０２の部分）と係合する。従って、ハンガー１０２の枠ユニット１００への取付けに関して、該結合器は枠ユニット１００の穴１２０であり、該相手結合器は穴１２０に嵌合するハンガー１０２の部分である。接続点１２０として使用可能な結合器の他の例は、ピン、クリップ、ロック、フック、ポスト、ラッチ、ホック、クランプ、スナップ、スロット、鉤、スロット、ボルト、ねじ、ナット、釘、カム等、及びこれらの組み合わせである。相手結合器は、第２部材又はその一部に固定された構成要素であり、第１部材に固定された該結合器と協働し両部材を結合する。
【００３１】
各枠ユニット１００の幅又はＸ軸に沿った、垂直部材１１０のハンガー受容穴１２０同士の中心間の横方向間隔１３０は固定である。図示のように、ハンガー受容穴１２０の中心間横方向間隔１３０は約２フィート（約０．６１メートル）である。各枠ユニット１００の高さ又はＺ軸に沿った、垂直部材１１０のハンガー受容穴１２０同士の中心間の垂直方向間隔１３２も固定である。図示のように、高さに沿ったハンガー受容穴１２０の中心間間隔１３２は約２フィート（約０．６１メートル）である。従って、該第１の数と第２の数のハンガー受容穴１２０は、所定の幅１３０と所定の高さ１３２だけ互いに隔てられ、２フィート×２フィート（約０．６１メートル×約０．６１メートル）のグリッドを枠ユニット１００の両側１１６、１１８に形成する。他の実施形態では、接続点１２０間の間隔は２フィート×２フィート（約０．６１メートル×約０．６１メートル）以外である。
【００３２】
図２に示すように、第１の数のモジュール２４が、枠ユニット１００の前側１１６のハンガー１０２によって支持されている。第２の数のモジュール２４が、枠ユニット１００の後側１１８のハンガー１０２によって支持されている。図４に示すように、隣接するモジュール２４が異なる奥行きを有する場合は、飾り移行パネル１０６をモジュール２４の露出した側を覆うために設けてもよい。飾り移行パネル１０６はハンガー１０２によって支持される。図８に示すように、各モジュール２４はモジュール２４の上端の近くの両側に配置された一対のガイドトラック又はチャネル１４０と、下端の近くの両側に配置された一対のガイドトラック又はチャネル１４０とを有する。上端と下端の二対のガイドトラック１４０は、枠ユニット１００の垂直部材１１０に取付けられた対応するハンガー１０２をスライド方式で受容する。図８を参照すると、ガイドトラック１４０の内方に面する壁１４１とハンガー１０２の外方に面する壁１０１はスライド嵌合するように寸法が決められている。適切なラッチまたはロックによりモジュール２４がハンガー１０２に固定される。ラッチまたはロックの例は、ピン、ねじを含む。またはナットとボルトをモジュール２４をハンガー１０２に固定するのに使用してもよい。
【００３３】
各枠ユニット１００の下部水平部材１１２は、一対の垂直に延びる貫通孔１５０を有する。留め具１５６が下部水平部材１１２の貫通孔１５０を通って延び、床１５２に該枠ユニット１００を取付ける。同様に、各枠ユニット１００の上部水平部材１１２は、一対の垂直に延びる貫通孔１５０を有する。枠ユニット１００が床１５２から天井１５４に延びる場合に、留め具１５６が上部水平部材１１２の貫通孔１５０を通って延び、天井１５４に該枠ユニット１００を取付ける。ピン、スタッド、ねじ、ボルト等の任意の適当な留め具１５６を、枠ユニット１００を床１５２と天井１５４とに取付けるために使用してもよい。本実施形態では、モジュール２４を例えば、モップ、床清掃器具等から保護できるように、枠ユニット１００は、床１５２の代わりにベース板１５８に取付けられ、ベース板１５８は床１５２に取付けられる。床１５２に開いたスルーモジュール２４が存在する基礎構造部品２２の位置では、下部水平部材１１２と床１５２に近接したベース板１５８は除かれる。図示のように、ベース板１５８は高さ約４インチ（１０．１６センチメートル）である。
【００３４】
本実施形態では、各枠ユニット１００は両側の隣接する枠ユニット１００に結合される。また、医療施設の既存の通常の壁、例えば図３の壁１６０に最も近い枠ユニット１００はその壁に取付けられる。このために、各枠ユニット１００の垂直部材１１０は複数の横方向に延びる貫通孔１６２を有する。ピン、スタッド、ねじ、ボルト等の任意の適当な留め具１６４を、各枠ユニット１００を両側の隣接する枠ユニット１００及び隣接する既存の通常の壁１６０に取付けるために使用してもよい。幾つかの実施形態では、枠ユニット１００は床１５２にのみ結合される。他の実施形態では、枠ユニット１００は天井１５４にのみ結合される。
【００３５】
ユーティリティ管１７２が医療施設の機械室から病室２８に配管されてもよい。ユーティリティ管１７２は通常、病室２８の床１５２、天井１５４又は壁１０４を通って配管されてよい。水平部材１１２は垂直に延びる貫通スロット又は孔１７０を有し、これを通ってユーティリティ管１７２が枠部材１１０、１１２によって画成された開いた空間または空洞１１４に入る。次に、ユーティリティ管１７２は開いた空間１１４から関連するモジュール２４に配管される。例として、ユーティリティ管１７２はデータ線、ガス管、真空管、ＡＣ／ＤＣ電力線、温水管、冷水管、及び配管を含む。
【００３６】
また、ユーティリティ管１７２を枠ユニット１００の開いた空間１１４から両側の隣接する枠ユニット１００の開いた空間１１４へ配管するために、横方向に延びる貫通孔１７１を枠ユニット１００の垂直部材１１０に形成してもよい。次に、ユーティリティ管１７２は該隣接する枠ユニット１００の開いた空間１１４から関連するモジュール２４に配管される。幾つかの実施形態では、空間１１４に、少なくとも部分的に音絶縁材１７４を充填してもよい。他の実施形態では、空間１１４に、音絶縁材１７４の代わりに又は加えて熱絶縁材１７６を少なくとも部分的に充填してもよい。
【００３７】
上述のように、モジュール２４群は、ハンガー受容穴１２０の該所定の横方向間隔１３０の１倍を含む倍数にほぼ等しい幅を有する。本実施形態では、該所定の横方向間隔１３０は約２フィート（約０．６１メートル）である。従って、モジュール２４の幅は約２フィート（約０．６１メートル）、４フィート（約１．２２メートル）、６フィート（約１．８３メートル）等でありうる。例えば、図５、図６のモジュール６０、６２は幅約２フィート（約０．６１メートル）である。他方、図７のモジュール６４は幅約４フィート（約１．２２メートル）である。モジュール２４群は、ハンガー受容穴１２０の該所定の垂直方向間隔１３２の１倍を含む倍数にほぼ等しい高さを有する。本実施形態では、該所定の垂直方向間隔１３２は約２フィート（約０．６１メートル）である。従って、モジュール２４の高さは約２フィート（約０．６１メートル）、４フィート（約１．２２メートル）、６フィート（約１．８３メートル）等でありうる。
【００３８】
モジュール２４の幅と高さはそれぞれ、該所定の横方向間隔１３０と該所定の垂直方向間隔１３２の１倍を含む倍数であるが、モジュール２４の奥行きは、その機能に依って変わる。例えば、モジュール２４の奥行きは１インチ（約２．５４センチメートル）、１フィート（約０．３１メートル）、１．５フィート（約０．４６メートル）、２フィート（約０．６１メートル）、２．５フィート（約０．７６メートル）、３フィート（約０．９１メートル）等でありうる。例えば、飾りパネル１０８は、図４の実施形態では、奥行き１インチ（約２．５４センチメートル）である。上述のように、ハンガー１０２の長さは該ハンガー１０２によって支持されるモジュール２４の奥行きに概ね一致する。従って、奥行き１インチ（約２．５４センチメートル）の飾りパネル１０８を支持するハンガー１０２の長さも、約１インチ（約２．５４センチメートル）である（図４）。幾つかの実施形態では、飾りパネル１０８は一体化されたハンガー１０２を備えてもよい。
【００３９】
従って、医療施設において使用するモジュール壁システム２０は、使用可能な床スペースを部屋に分割し、患者医療設備を支持し収容するよう構成されている。システム２０は、床１５２又はベース板１５８の上に垂直上方に立つよう構成された複数の枠ユニット１００を備える。該複数の枠ユニット１００は垂直方向と横方向に互いに隔てられ所定の高さと所定の幅を有する複数の２次元壁空間から成るグリッドを形成する。複数のモジュール２４は、該２次元壁空間に配置され壁を形成するよう構成されている。該２次元壁空間に配置されたモジュール２４の少なくとも幾つかは、該所定の幅の１倍を含む倍数にほぼ等しい幅と、該所定の高さの１倍を含む倍数にほぼ等しい高さを有する。
【００４０】
幾つかの実施形態では、枠ユニット１００自体が、奥行き方向（Ｙ軸）に沿った厚みを有し、そのため、枠ユニット１００は垂直方向と横方向に互いに隔てられ所定の高さと所定の幅と所定の奥行きを有する複数の３次元壁空間から成るグリッドを形成する。該３次元壁空間に配置されたモジュール２４の少なくとも幾つかは、該所定の幅の１倍を含む倍数にほぼ等しい幅と、該所定の高さの１倍を含む倍数にほぼ等しい高さと、該所定の奥行きの１倍を含む倍数にほぼ等しい奥行きを有する。
【００４１】
モジュール壁システム２０は、従来の技法の場合より少ないほこり、騒音、及び業務の妨げを伴って、迅速に、医療施設のシェルスペースを病室又は事務局に変更することを可能にする。このため、医療施設のシェルスペースを患者の必要に合うように変更することができる。モジュール壁システム２０は、患者、介護者、及び医療施設の必要の変化に応じた部屋とスペースの構成の変更を助ける柔軟性がある。ユーザは、機能上の要求の変化によるスペースの用途の変更に伴って、様々なモジュール部品２４を容易に交換及び再構成することができる。基礎構造部品２２とモジュール部品２４は、多数回、再利用が可能である。モジュール壁システム２０は、様々な患者医療装置を該モジュール部品内に組込むことができる。様々なモジュール部品の外面は、該モジュール部品の外観を更新するために、該モジュール部品全体を取替えることなく変更することができる。飾りパネル１０６、１０８は病室に色を加えるために使用されてもよい。これらのモジュール２４は、病室、ナースステーション、緊急医療部門、事務局、受付等の医療施設の部屋とスペースを形成するために無数の方法で組み立てることができる。モジュール壁システム２０によって形成される壁の幅と高さと奥行きは、医療施設の必要に依り変わりうる。
【００４２】
図１０〜図２５を参照すると、臨床壁モジュール４６は、図１０の作業面モジュール２００、図１１、図１２の灯りモジュール２２０、図１３、図１４の供給物スルーモジュール２４０、図１５〜図１８の引出しスルーモジュール２７０、図１９〜図２２の廃棄物スルーモジュール２９０、図２３、図２４のドアモジュール３２０、３４０、及び図２５の窓モジュール３６０を含む。図１０のように、作業面モジュール２００は、第１垂直パネル２０２と、第１垂直パネル２０２からカンチレバー状に外方に延びる第２水平パネル２０４とを備える。第２水平パネル２０４の上方に面する面２０６が作業面を提供する。作業面２０６の上方の第１垂直パネル２０２の上部２０８はよごれ止め板を形成する。幾つかの実施形態では、よごれ止め板２０８は画鋲面を構成する。他の実施形態では、よごれ止め板２０８は堅い洗える面である。水平パネル２０４は、水平パネル２０４上の装置からの電気配線が関連するコンセント又はポートにそれを通って配線される貫通孔２１０を有する。任意に１片又は多片絶縁ゴム（不図示）を貫通孔２１０に設けてもよい。そのような絶縁ゴムは、配線及び／又は管を通すための１つ以上の孔を有してもよい。垂直パネル２０２は、ハンガー１０２によって枠ユニット１００に固定されるよう構成されている。
【００４３】
垂直パネル２０２の幅、高さ、及び奥行きと、作業面２０６の幅、高さ、及び奥行きとはそれらの機能に依存する。例として、垂直パネル２０２は、幅約４フィート（約１．２２メートル）、高さ約４フィート（約１．２２メートル）、奥行き約１インチ（約２．５４センチメートル）である。同様に、作業面２０６は幅約４フィート（約１．２２メートル）、奥行き約２フィート（約０．６１メートル）である。椅子に座った介護者が作業面２０６を使えるように、作業面２０６の高さは、床１５２から約３０インチ（約０．７６メートル）である。他の実施形態では、立っている介護者が作業面２０６を使えるように、作業面２０６の高さは床１５２から約３６インチ（約０．９１メートル）である。更に別の実施形態では、作業面２０６は床から別の高さ、例えば４２インチ（約１．０７メートル）にある。上述のように、ハンガー１０２の長さは、ハンガー１０２によって支持されるモジュール２４の奥行きに概ね一致する。従って、作業面モジュール２００を支えるためのハンガー１０２の長さは、約１インチ（２．５４センチメートル）である。任意に、作業面モジュール２００は一体化されたハンガー１０２を備えてもよい。
【００４４】
図１１、図１２は、灯り取付け板２２２と、灯り取付け板２２２に支持された一対の蛍光灯管２２４とを備える灯りモジュール２２０を示す。灯り取付け板２２２は、第１垂直部２２６と、第１垂直部２２６からカンチレバー状に外方に延びる第２水平部２２８とを備える。第３カーブした部２３０が第２水平部２２８の端から上方と下方に延びる。幾つかの実施形態では、カーブした部２３０はある程度透明であり、２つの蛍光灯管２２４から放射された光はカーブした部２３０を通って拡散される。他の実施形態では、灯り取付け板２２２の内側面２３２は、下部蛍光灯管２２４からの光を反射し床１５２に向けて偏向させ、上部蛍光灯管２２４からの光を反射し天井１５４に向けて偏向させる。垂直部２２６はハンガー１０２によって枠ユニット１００に固定されるよう構成されている。灯りモジュール２２０の幅、高さ、及び奥行きは顧客の要求に依存する。例として、垂直部２２６は、幅約４フィート（約１．２２メートル）、高さ約２フィート（約０．６１メートル）、奥行き約１インチ（約２．５４センチメートル）である。灯りモジュール２２０を支えるハンガー１０２の長さは約１インチ（約２．５４センチメートル）である。任意に、灯りモジュール２２０は一体化されたハンガー１０２を備えてもよい。
【００４５】
図１３、図１４は、前面２４４と、裏面２４６と、前面２４４及び裏面２４６において開いているスルー空洞２４８とを有する箱形ハウジング２４２を備える供給物スルーモジュール２４０を示す。ハウジング２４２は、空洞２４８内に関連するピン受容穴２５４に受容される取外し可能なピン２５２によって支持された複数の調整可能な棚２５０を有する。幾つかの実施形態では、ハウジング２４２は、前面２４４と裏面２４６に１つ以上のドア２５６を有する。ドア２５６は開位置と閉位置の間を移動可能である。ドア２５６は設計仕様に依り透明または不透明であってよい。ハウジング２４２はその上部壁に取付けられた灯り２５８を備える。ハウジング２４２は廊下２９から物が入れられ、病室２８からアクセスすることができる。
【００４６】
ハウジング２４２の幅、高さ、及び奥行きは顧客の要求に依存する。例として、ハウジング２４２は、幅約２フィート（約０．６１メートル）、高さ約６フィート（約１．８３メートル）、奥行き約４フィート（約１．２２メートル）である。幾つかの実施形態では、ハウジング２４２を支えるハンガー１０２の長さは約４フィート（約１．２２メートル）である。他の実施形態では、ハウジング２４２はハンガー１０２によっては支えられていない。代わりにハウジング２４２は、ハウジング２４２内のスルー空洞２４８が関連する枠ユニット１００内の幅２フィート（約０．６１メートル）の空間１１４の幅の中心となるように、床１５２に置かれる。他の実施形態では、ハウジング２４２は関連する枠ユニット１００内の幅２フィート（約０．６１メートル）の空間１１４内に装着される。更に別の実施形態では、ハウジング２４２のスルー空洞２４８は、関連する枠ユニット１００内の空間１１４と同じ幅に寸法設定される。
【００４７】
図１５〜図１８は、前面２７４と、裏面２７６と、前面２７４及び裏面２７６において開いている内部空洞２７８とを有する箱形ハウジング２７２を備える引出しスルーモジュール２７０を示す。ハウジング２７２は、内部空洞２７８内にスライド可能に受容され前面２７４及び裏面２７６から開放可能な引出し２８０を有する。引出し２８０は前面２７４（病室側）と裏面２７６（廊下側）の両方にハンドル２８２を有する。幾つかの実施形態では、引出し２８０は両側２７４、２７６からロック可能である。他の実施形態では、引出し２８０は片側からのみロック可能である。ハウジング２７２の幅、高さ、及び奥行きは顧客の要求に依存する。例として、ハウジング２７２は、幅約２フィート（約０．６１メートル）、高さ約２フィート（約０．６１メートル）、奥行き約２フィート（約０．６１メートル）である。ハウジング２７２を支えるハンガー１０２の長さは約２フィート（約０．６１メートル）である。引出し２８０は廊下２９から物が入れられ、病室２８からアクセスすることができる。
【００４８】
図１９〜図２２は、前面２９４と、裏面２９６と、前面２９４及び裏面２９６において開いている内部空洞２９８とを有する箱形ハウジング２９２を備える廃棄物スルーモジュール２９０を示す。ハウジング２９２は、内部空洞２９８内にスライド可能に受容された廃棄物容器３００を有する。ハウジング２９２は汚れたリネン、ごみ等を入れるために前面２９４（病室側）に開口３０２を有する。廃棄物容器３００は裏面２９６（廊下側）からハウジング２９２の開口３０３を通して開放可能である。ハウジング２９２の前面２９４の開口３０２は、ハウジング２９２の裏面２９６の開口３０３より小さい。従って、廊下にいる人だけが廃棄物容器３００をハウジング２９２から引出すことが可能である。幾つかの実施形態では、可動ドア（不図示）がハウジング２９２の開口３０２に設けられ、汚れたリネンとごみのそれぞれに別の廃棄物スルーモジュール２９０が設けられる。廃棄物容器３００は廊下側にハンドル３０４を有する。汚れたリネン、ごみ等は廊下から取出される。別の使い捨て容器及び／又はごみ袋を、ごみを受容するために廃棄物容器３００内に設けてもよい。
【００４９】
ハウジング２９２の幅、高さ、及び奥行きは顧客の要求に依存する。例として、ハウジング２９２は、幅約２フィート（約０．６１メートル）、高さ約４フィート（約１．２２メートル）、奥行き約２フィート（約０．６１メートル）である。ハウジング２９２を支えるハンガー１０２の長さは約２フィート（約０．６１メートル）である。幾つかの実施形態では、ハウジング２９２はハンガー１０２によっては支えられていない。代わりにハウジング２９２は、ハウジング２９２内の空洞２９８が関連する枠ユニット１００内の幅２フィート（約０．６１メートル）の空間１１４の幅の中心となるように、床１５２に置かれる。他の実施形態では、ハウジング２９２は、枠ユニット１００内の幅２フィート（約０．６１メートル）の空間１１４内に装着される。更に別の実施形態では、ハウジング２９２の空洞２９８は、関連する枠ユニット１００内の空間１１４と同じ幅に寸法設定される。
【００５０】
図２３は、枠構造体３２２と、枠構造体３２２の枠受容開口３２６に受容された枠３２４と、枠３２４に結合され回動するドア３２８とを備えるドアモジュール５６の第１の実施形態３２０を示す。ドア３２８は窓３３０とハンドル３３２を備える。ドア３２８は開位置と閉位置の間を移動可能である。枠構造体３２２と枠３２４とドア３２８とは、金属、木またはプラスチック等の適切な材料から作られてよい。ドア３２８の幅と高さは顧客の要求に依存する。例として、ドア３２８は、幅約３フィート（約０．９１メートル）、高さ約７フィート（約２．１３メートル）である。窓３３０は幅約９インチ（約０．２３メートル）、高さ３０インチ（約０．７６メートル）である。枠構造体３２２は幅約４フィート（約１．２２メートル）、高さ約８フィート（約２．４４メートル）、奥行き約１フィート（約０．３１メートル）である。枠構造体３２２を支えるハンガー１０２の長さは約１フィート（約０．３１メートル）である。幾つかの実施形態では、枠構造体３２２はハンガー１０２によっては支えられていない。代わりに枠構造体３２２は、枠構造体３２２内の枠受容開口３２６が関連する枠ユニット１００内の幅４フィート（約１．２２メートル）の空間１１４の幅の中心となるように、床１５２に置かれる。他の実施形態では、枠構造体３２２は、関連する枠ユニット１００内の幅４フィート（約１．２２メートル）の空間１１４内に装着される。更に別の実施形態では、枠構造体３２２の枠受容開口３２６は、関連する枠ユニット１００内の空間１１４と同じ幅に寸法設定される。
【００５１】
図２４は、枠構造体３４２と、枠構造体３４２の枠受容開口３４６に受容された枠３４４と、枠３４４に結合され回動する一対のドア３４８、３５０とを備えるドアモジュール５６の第２の実施形態３４０を示す。ドア３４８、３５０は開位置と閉位置の間を移動可能である。ドア３４８、３５０は見通し窓（不図示）を備える。枠構造体３４２と枠３４４とドア３４８、３５０とは、金属、木またはプラスチック等の適切な材料から作られてよい。ドア３４８、３５０の幅と高さは顧客の要求に依存する。例として、ドア３４８は、幅約３フィート（約０．９１メートル）、高さ約７フィート（約２．１３メートル）である。枠構造体３４２は幅約４フィート（約１．２２メートル）、高さ約８フィート（約２．４４メートル）、奥行き約１フィート（約０．３１メートル）である。
【００５２】
通常、幅約２フィート（約６０．９６センチメートル）のドア３４８は閉じられたままであり、幅約３フィート（約９１．４４センチメートル）のドア３５０は病室２８への入出に使用される。幅の広い装置を病室２８に入出させる時に両方のドア３４８、３５０を開ける。枠構造体３４２を支えるハンガー１０２の長さは約１フィート（約０．３１メートル）である。幾つかの実施形態では、枠構造体３４２はハンガー１０２によっては支えられていない。代わりに枠構造体３４２は、枠構造体３４２内の枠受容開口３４６が関連する枠ユニット１００内の幅６フィート（約１．８３メートル）の空間１１４の幅の中心となるように、床１５２に置かれる。他の実施形態では、枠構造体３４２は、関連する枠ユニット１００内の幅６フィート（約１．８３メートル）の空間１１４内に装着される。更に別の実施形態では、枠構造体３２２の枠受容開口３４６は、関連する枠ユニット１００内の空間１１４と同じ幅に寸法設定される。
【００５３】
図２５は、窓枠３６２と、窓枠３６２の開口３６６に受容されたガラスパネル３６４とを備える窓モジュール５８の一実施形態３６０を示す。窓枠３６２は、金属、木またはプラスチック等の適切な材料から作られてよい。窓枠３６２の幅と高さと奥行きは顧客の要求に依存する。例として、窓枠３６２は、幅約４フィート（約１．２２メートル）、高さ約４フィート（約１．２２メートル）、奥行き約６インチ（約０．１５メートル）である。窓枠３６２を支えるハンガー１０２の長さは約６インチ（約０．１５メートル）である。幾つかの実施形態では、窓枠３６２は、関連する枠ユニット１００内の幅４フィート（約１．２２メートル）の空間１１４内に装着される。幾つかの実施形態では、窓枠３６２の開口３６６は、関連する枠ユニット１００内の空間１１４と同じ幅に寸法設定される。幾つかの実施形態では、ガラスパネル３６４は色が付けられている。他の実施形態では、ガラスパネル３６４はＬＣＤパネルである。ガラスパネル３６４は一体となったプライバシ保護用ブラインドを備えてもよい。幾つかの実施形態では、窓モジュール５８は図２５の正方形の枠の代わりに矩形の枠を備えてもよい。このような矩形の窓枠は、長い辺を水平または垂直にしてハンガー１０２に装着可能である。
【００５４】
図１０〜図２５には示していないが、各臨床壁モジュール４６はモジュール５４の上端の近くの両側に配置された一対のガイドトラック１４０と、下端の近くの両側に配置された一対のガイドトラック１４０とを図８に示すように有する。上端と下端の二対のガイドトラック１４０は、枠ユニット１００の垂直部材１１０に取付けられた対応するハンガー１０２をスライド方式で受容する。ガイドトラック１４０とハンガー１０２はスライド嵌合するように寸法が決められている。モジュール４６をハンガー１０２に固定するために適切なラッチを使用する。
【００５５】
臨床壁モジュール４６はハンガー受容穴１２０間の該所定の横方向間隔１３０の１倍を含む倍数にほぼ等しい幅を有し、ハンガー受容穴１２０間の該所定の垂直方向間隔１３２の１倍を含む倍数にほぼ等しい高さを有する。臨床壁モジュール４６の幅と高さはそれぞれ、該所定の横方向間隔１３０と該所定の垂直方向間隔１３２の１倍を含む倍数であるが、モジュール５４の奥行きは、その機能に依って変わる。
【００５６】
図２６〜図３４を参照すると、衛生ゾーンモジュール５４群は、図２６の手洗モジュール４００、図２７の手洗・収納モジュール４０２、図２８のシャワーモジュール４０４、図２９に示す紙タオル提供モジュール４０６、図３０に示す手乾燥機モジュール４０８、図３１に示す鏡モジュール４１０、図３２に示すタオル掛けモジュール４１２、図３３に示すごみ容器モジュール４１４、及び図３４に示すつかまり棒モジュール４１６を含む。図２６に示すように、手洗モジュール４００は水を放出する蛇口４５０と、水を排水する流し４５２と、カウンタまたは棚４５４とを有する。蛇口４５０は、放出口４５６、温水調節手段４５８、及び冷水調節手段４６０を有する。他のタイプの蛇口も本開示の範囲内である。例えば、他の実施形態では、該蛇口は温水と冷水のための別々の温度調節手段の代わりに単一の温度調節手段を有する。幾つかの実施形態では、該蛇口は、使用者の手の存在を検知するセンサを備え、使用者の手を検知した時、温水と冷水の所定の混合物を自動的に放出する。他の実施形態では、該放出口は、自在管に結合された取外し可能なノズルを有し、様々な位置から水を放出する。温水供給管（不図示）は温水を温水調節手段に供給し、冷水供給管（不図示）は冷水を冷水調節手段に供給する。排水管（不図示）は流し４５２の底の排水用の開口４６２に結合されている。
【００５７】
手洗モジュール４００は囲い４７０を備える。囲い４７０は一対の離れた側壁４７２、４７４、後部壁４７６、前部壁４７８、及び上部壁４８０を有する。前部壁４７８は上部壁４８０から短く下方に延びている。棚４５４は後部壁４７６から前方に延び、流し４５２を受容する開口４８２を有している。鏡４８４は後部壁４７６に取り付けられている。灯り４８６は上部壁４８０に固定されている。灯り４８６のスイッチ（不図示）は、便利にも側壁４７２、４７４の１つに配置されている。紙タオルディスペンサ４８８は側壁４７２に装着されている。紙タオルディスペンサ４８８は使用者の手の存在を検知するセンサを備え、使用者の手を検知した時、紙タオルを自動的に出してもよい。手洗モジュール４００は浄水システム、飲料水放出口等を備えていてもよい。例として、手洗モジュール４００の囲い４７０は幅約２フィート（約０．６１メートル）、高さ約８フィート（約２．４４メートル）、奥行き約２フィート（約０．６１メートル）である。
【００５８】
図２７の手洗・収納モジュール４０２は図２６の手洗モジュール４００に類似している。２つのモジュール４００、４０２の同じ又は類似の構成要素は同じ符号で示される。従って、手洗・収納モジュール４０２は蛇口４５０、流し４５２、棚４５４、放出口４５６、温水調節手段４５８、冷水調節手段４６０、及び囲い４７０を備える。手洗・収納モジュール４０２は更に引出し４９０とキャビネット４９２とを備える。モジュール４０２は図２６の鏡４８４と類似した鏡を有していない。幾つかの実施形態では、モジュール４０２は後部壁２７６に装着された鏡を有する。引出し４９０はノブ４９４を有する。キャビネット４９２はノブ４９４をそれぞれ有する一対のドア４９６を備える。例として、手洗・収納モジュール４０２は幅約４フィート（約１．２２メートル）、高さ約８フィート（約２．４４メートル）、奥行き約２フィート（約０．６１メートル）である。
【００５９】
図２８に示すように、シャワーモジュール４０４は囲い５１０を備える。囲い５１０は一対の離れた側壁５１２、５１４、後部壁５１６、上部壁５１８、及び流し５２０を有する。側壁５１２、５１４、後部壁５１６、上部壁５１８、及び流し５２０は内部空間５２２を形成するよう構成されている。囲い５１０はハンドル５２６を有するドア５２４を備える。本実施形態では、ドア５２４は透明であるが、他の実施形態では、ドア５２４は不透明である。シャワーヘッド５２８は後部壁５１６に結合される。本実施形態では、シャワーヘッド５２８は、自在管５３２に結合された取外し可能なノズル５３０を有し、様々な位置から水を放出する。垂直バー５３４がシャワーヘッド５２８に隣接して後部壁５１６に固定されている。シャワーヘッド５２８の不使用時にノズル５３０を保持するために、ホルダー（不図示）が垂直バー５３２に固定されている。温水と冷水をシャワーヘッド５２８に供給するための単一温度調節手段５３６が設けられている。温水供給管５３８は温水を供給し、冷水供給管５４０は冷水を供給する。例としてのシャワーモジュール５０４は単一温度調節手段５３６を有しているが、シャワーモジュール４０４は温水と冷水用の別々の調節手段を備えてもよい。排水管（不図示）は流し５２０の底の排水用の開口５４２に結合されている。例として、シャワーモジュール４０４は幅約４フィート（約１．２２メートル）、高さ約８フィート（約２．４４メートル）、奥行き約３フィート（約０．９１メートル）である。
【００６０】
図２９は自動紙タオル提供モジュール４０６を示す。自動紙タオル提供モジュール４０６は使用者の手の存在を検知するセンサを備え、使用者の手を検知した時、紙タオルを自動的に出してもよい。別の実施形態では、手動紙タオル提供モジュールを備える。例として、紙タオル提供モジュール４０６は幅約２フィート（約０．６１メートル）、高さ約２フィート（約０．６１メートル）、奥行き約１フィート（約０．３１メートル）である。
【００６１】
図３０は自動手乾燥機モジュール４０８を示す。自動手乾燥機モジュール４０８は使用者の手の存在を検知するセンサを備え、使用者の手を検知した時、空気を自動的に放出してもよい。別の実施形態では、手動手乾燥機モジュールを備える。例として、手乾燥機モジュール４０８は幅約２フィート（約０．６１メートル）、高さ約２フィート（約０．６１メートル）、奥行き約１フィート（約０．３１メートル）である。
【００６２】
図３１を参照すると、鏡モジュール４１０は鏡５５０とその下部縁に沿って延びる棚５５２とを備える。例として、鏡５５０は幅約２フィート（約０．６１メートル）、高さ約２フィート（約０．６１メートル）、奥行き約１インチ（約２．５４センチメートル）である。棚５５２は奥行き約４インチ（約１０．１６センチメートル）である。或いは、鏡は例えば幅約４フィート（約１．２２メートル）、高さ約２フィート（約０．６１メートル）、又は幅約２フィート（約０．６１メートル）、高さ約４フィート（約１．２２メートル）である。幾つかの実施形態では、鏡モジュール４１０は棚を有していない。
【００６３】
図３２を参照すると、タオル掛けモジュール４１２は、パネル５６０と、一対のスタブシャフト５６４によりパネル５６０に固定されたタオル掛け５６２とを備える。例として、パネル５６０は幅約２フィート（約０．６１メートル）、高さ約２フィート（約０．６１メートル）、奥行き約１インチ（約２．５４センチメートル）である。スタブシャフト５６４は長さ約３インチ（約７．６２センチメートル）である。図３３は、ごみ用の開口５７２を有するごみ容器５７０を備えるごみ容器モジュール４１４を示す。図３４を参照すると、つかまり棒モジュール４１６はパネル５８０と、一対のスタブシャフト５８４によりパネル５８０に固定されたつかまり棒５８２とを備える。例として、パネル５８０は幅約４フィート（約１．２２メートル）、高さ約２フィート（約０．６１メートル）、奥行き約１インチ（約２．５４センチメートル）である。つかまり棒３８２は長さ約３．５フィート（約１．０６７メートル）、スタブシャフト３８４は長さ約３インチ（約７．６２センチメートル）である。
【００６４】
図２６〜図３４には示していないが、各衛生ゾーンモジュール５４はモジュール５４の上端の近くの両側に配置された一対のガイドトラック１４０と、下端の近くの両側に配置された一対のガイドトラック１４０とを図８に示すように有する。上端と下端の二対のガイドトラック１４０は、枠ユニット１００の垂直部材１１０に取付けられた対応するハンガー１０２をスライド方式で受容する。ガイドトラック１４０とハンガー１０２はスライド嵌合するように寸法が決められている。モジュール５４をハンガー１０２に固定するために適切なラッチを使用する。
【００６５】
衛生ゾーンモジュール５４はハンガー受容穴１２０間の該所定の横方向間隔１３０の１倍を含む倍数にほぼ等しい幅を有し、ハンガー受容穴１２０間の該所定の垂直方向間隔１３２の１倍を含む倍数にほぼ等しい高さを有する。モジュール５４の幅と高さはそれぞれ、該所定の横方向間隔１３０と該所定の垂直方向間隔１３２の１倍を含む倍数であるが、モジュール５４の奥行きは、その機能に依って変わる。
【００６６】
図３５〜図３７は病室２８の第２の実施形態を示す。２つの病室２８、６００の同じ又は類似の構成要素は同じ符号で示される。従って、病室６００はベッド３０と、ヘッドウォール３６と、患者医療モジュール３８と、足壁４０と、足壁モジュール４２と、家族ゾーン壁４８と、家族ゾーンモジュール５０と、衛生ゾーン壁５２と、衛生ゾーンモジュール５４と、ドアモジュール５６と、窓モジュール５８とを備える。病室６００は更に臨床壁モジュール６０４を有する臨床壁６０２を備える。図３６に示すように、臨床壁モジュール６０４は作業面モジュール６０６、灯りモジュール６０８、供給物スルーモジュール６１０、手洗モジュール６１２、装置スルーモジュール６１４、及びキャビネットモジュール６１６を備える。
【００６７】
作業面モジュール６０６、灯りモジュール６０８、及び供給物スルーモジュール６１０は、図１０の作業面モジュール２００、図１１、図１２の灯りモジュール２２０、及び図１３、図１４の供給物スルーモジュール２４０に類似している。手洗モジュール６１２は図２６の手洗モジュール２００に類似している。装置スルーモジュール６１４は、可動看護カート等の患者医療装置を受容するように寸法が決められた内部空洞（不図示）を備える。患者医療装置は、不使用時、該空洞内に収納できる。患者医療装置は廊下６２０から及び病室４００からアクセスできる。
【００６８】
本発明は様々な変更と別の形態が可能であるが、本明細書において特定の幾つかの実施形態を例として図に示し、詳細に説明した。しかし、本発明を開示した特定の形態に限定することを意図したものでなく、本発明は、添付の請求項により定義された本発明の思想と範囲内に入る全ての改良物、等価物、及び別の形態を含むことは理解されるべきである。
【００６９】
本明細書において説明した実施形態の様々な特徴から生じる本発明の複数の利点が存在する。説明した特徴の一部だけを含む本発明の他の実施形態は、前記複数の利点のうち少なくとも幾つかの利点を有する。当業者は、本発明の特徴のうち１つ以上を備える、添付の請求項により定義された本発明の思想と範囲内に入る実施形態を容易に思いつく可能性がある。
【図面の簡単な説明】
【００７０】
【図１】医療施設において本開示のモジュール壁システムを使用して構築された病室の概略平面図であり、ベッド、２つの椅子、サイド机、患者医療またはヘッドウォールモジュールを備えるヘッドウォール、足壁モジュールを備える足壁、臨床壁モジュールを備える臨床壁、家族ゾーンモジュールを備える家族ゾーン壁、衛生モジュールを備える衛生ゾーン壁、ドアモジュール、及び窓モジュールを示す。
【図２】構築中の図１の壁の一部の斜視図であり、複数の枠ユニットと、該枠ユニットのハンガー受容穴に受容された複数のハンガーと、該ハンガーによって支持された様々な病院設備モジュールとを示す。
【図３】構築中の図１の壁の一部の平面図である。
【図４】構築中の図１の壁の一部の平面図である。
【図５】幅と奥行きを有するモジュールを示す平面図である。
【図６】異なる幅と奥行きを有するモジュールを示す平面図である。
【図７】異なる幅と奥行きを有するモジュールを示す平面図である。
【図８】枠ユニットに固定されたハンガーをスライド受容するガイドトラックを有するモジュールを示す斜視図である。
【図９】ハンガーの枠ユニットへの取付けを示す斜視図である。
【図１０】作業面モジュールの斜視図である。
【図１１】灯りモジュールの斜視図である。
【図１２】灯りモジュールの側立面図である。
【図１３】供給物スルーモジュールの斜視図である。
【図１４】供給物スルーモジュールの平面図である。
【図１５】引出しスルーモジュールの斜視図である。
【図１６】引出しスルーモジュールの平面図である。
【図１７】病室側から開けた引出しを示す図１６に類似の平面図である。
【図１８】病室に隣接する廊下側から開けた該引出しを示す図１６、図１７に類似の平面図である。
【図１９】病室から見た廃棄物スルーモジュールの斜視図である。
【図２０】廃棄物容器を示す、廊下から見た廃棄物スルーモジュールの斜視図である。
【図２１】廃棄物容器を示す、廊下から見た廃棄物スルーモジュールの斜視図である。
【図２２】廊下から開けた廃棄物容器を示す、廃棄物スルーモジュールの平面図である。
【図２３】単一のドアを有するドアモジュールの第１の実施形態の斜視図である。
【図２４】両開きドアを有するドアモジュールの第２の実施形態の斜視図である。
【図２５】窓モジュールの斜視図である。
【図２６】手洗モジュールの斜視図である。
【図２７】手洗・収納モジュールの斜視図である。
【図２８】シャワーモジュールの斜視図である。
【図２９】紙タオル提供モジュールの斜視図である。
【図３０】手乾燥機モジュールの斜視図である。
【図３１】鏡モジュールの斜視図である。
【図３２】タオル掛けモジュールの斜視図である。
【図３３】ごみ容器モジュールの斜視図である。
【図３４】つかまり棒モジュールの斜視図である。
【図３５】臨床壁の別の構成を有する病室の第２の実施形態の概略平面図である。
【図３６】病室から見た図３５の臨床壁の前面立面図である。
【図３７】隣接する廊下から見た図３５の臨床壁の後面立面図である。
【符号の説明】
【００７１】
２０  モジュール壁システム
２４  病院設備モジュール
１００  枠ユニット
１０２  支持部材、ハンガー
１１０  垂直部材
１１２  水平部材
【図１】
2008501876.tif 000003
【図２】
2008501876.tif 000004
【図３】
2008501876.tif 000005
【図４】
2008501876.tif 000006
【図５】
2008501876.tif 000007
【図６】
2008501876.tif 000008
【図７】
2008501876.tif 000009
【図８】
2008501876.tif 000010
【図９】
2008501876.tif 000011
【図１０】
2008501876.tif 000012
【図１１】
2008501876.tif 000013
【図１２】
2008501876.tif 000014
【図１３】
2008501876.tif 000015
【図１４】
2008501876.tif 000016
【図１５】
2008501876.tif 000017
【図１６】
2008501876.tif 000018
【図１７】
2008501876.tif 000019
【図１８】
2008501876.tif 000020
【図１９】
2008501876.tif 000021
【図２０】
2008501876.tif 000022
【図２１】
2008501876.tif 000023
【図２２】
2008501876.tif 000024
【図２３】
2008501876.tif 000025
【図２４】
2008501876.tif 000026
【図２５】
2008501876.tif 000027
【図２６】
2008501876.tif 000028
【図２７】
2008501876.tif 000029
【図２８】
2008501876.tif 000030
【図２９】
2008501876.tif 000031
【図３０】
2008501876.tif 000032
【図３１】
2008501876.tif 000033
【図３２】
2008501876.tif 000034
【図３３】
2008501876.tif 000035
【図３４】
2008501876.tif 000036
【図３５】
2008501876.tif 000037
【図３６】
2008501876.tif 000038
【図３７】
2008501876.tif 000039
【国際調査報告】
2008501876.tif 000040